(57)【特許請求の範囲】
【請求項１】
ブラウザ機能を搭載してインターネットの接続により複数のＷｅｂページ（ホームページ）を参照可能な移動体通信端末において、
前記ブラウザ機能を搭載した移動体通信端末の本体と、
前記本体の表面に配置されて前記インターネットに接続して複数のＷｅｂページを表示可能な表示部と、
前記本体に配置されて前記表示部の近傍に複数形成したテンキー、回線キー、十字方向キー、選択キー、第１機能キー、第２機能キーなどの各所定機能を実行する操作キーとを備え、
前記表示部にＷｅｂページを表示した状態において、前記操作キーの第１機能キーを押下することにより一つ前のＷｅｂページに戻る機能及び次のＷｅｂページに進む機能を選択できるメニューが表示され、該メニューの下端に前記表示部に表示した前記一つ前のＷｅｂページに戻る機能及び次のＷｅｂページに進む機能が前記第１機能キーと第２機能キーとの押下で各々実行されることを表した機能項目を表示するとともに、当該機能項目の表示により前記戻る機能が前記メニューを呼び出す前記第１機能キーにより実行されるように設けたことを特徴とする移動体通信端末。
【請求項２】
請求項１に記載の移動体通信端末において、
前記第１機能キーは、前記メニューを呼び出した後に押下し続けることで前記戻る機能が繰り返して動作し、いくつも前に参照したＷｅｂページを容易に前記表示部に表示できるように設けたことを特徴とする移動体通信端末。
【請求項３】
請求項１に記載の移動体通信端末において、
前記本体は、携帯電話機、ＰＨＳ電話機などの移動体電話機の本体であることを特徴とする移動体通信端末。
【発明の詳細な説明】
【０００１】
【発明の属する技術分野】
本発明は、移動体通信端末に係り、より詳細には本体内にブラウザ機能を搭載してインターネットのホームページ検索が可能な移動体通信端末に関する。
【０００２】
【従来の技術】
近年、例えば、携帯電話機、ＰＨＳ電話機などの移動体通信端末は、本体内にブラウザ機能（ＷＷＷブラウザ機能）を搭載して操作キーの操作によりインターネットに接続して所望のＷｅｂページ（ホームページ、Ｗｅｂコンテンツ）を検索できるように形成されている。このような従来の移動体通信端末では、本体に操作キーを効率よく配置して所望のＷｅｂページを短時間で表示できるように形成することが要求される。図３は、このような携帯電話機に採用した従来の移動体通信端末を示す正面図である。また、図４は、図３に示した表示部２２の表示状態を示す図であり、図４（ａ）は所定のＷｅｂページを表示した状態を、図４（ｂ）はメニューを表示して機能項目を選択する状態を、図４（ｃ）は一つ前のＷｅｂページを表示した状態を各々示している。
【０００３】
図３に示すように、携帯電話機に採用した従来の移動体通信端末は、携帯電話機の外装を形成するフロントケース及びリアケースからなる本体２０と、この本体２０の表面に露出して所定の情報を表示する表示部２２と、この表示部２２の近傍に複数形成されて所定機能を実行する操作キー２４とを備えている。
ここで、本体２０内には、図示されていないが、ブラウザ機能を備えた回路部を形成するプリント基板を備え、このプリント基板に複数の電子部品を実装または接続して収納している。また、表示部２２は、本体２０内のプリント基板に実装されて外側に露出するように配置している。この表示部２２は、所定の情報を表示する液晶表示器（ＬＣＤ）からなり、例えば、インターネットに接続して種々のＷｅｂページを表示できるように形成している。
【０００４】
また、操作キー２４は、電話番号入力などの操作を行うテンキー２４ａと、回線を接続及び切断する回線キー２４ｂと、所定の機能を選択する十字方向キー２４ｃと、この十字方向キー２４ｃにより選択した機能を確定して実行する選択キー２４ｄと、所定の特殊機能（例えば、メニューを表示して選択等）を実行する第１機能キー２４ｅ及び第２機能キー２４ｆとを備えている。
【０００５】
このような構成からなる携帯電話機に採用した従来の移動体通信端末を用いてインターネットに接続する場合、ユーザが携帯電話機の本体２０により携帯電話会社等が提供する通信回線を介してインターネットに接続される。そして、ユーザは、表示させたい情報のアドレス（ＵＲＬ：Ｕｎｉｆｏｒｍ  Ｒｅｓｏｕｒｃｅ  Ｌｏｃａｔｏｒ）を操作キー２４により入力して携帯電話会社に送信することで、所望のリスト（Ｗｅｂページ）を得ることができる。
【０００６】
また、ユーザが複数のＷｅｂページを参照し、例えば、図４（ａ）に示すように表示器２２に所定のＷｅｂページ（図４（ａ）では「今日明日の天気」）を表示した状態から一つ前に参照したＷｅｂページを表示させる場合、まず、携帯電話機の本体２０に設けた第１機能キー２４ｅを押下する。これにより表示部２２には、図４（ｂ）に示すように、一つ前のＷｅｂページに戻る機能、及び次のＷｅｂページに進む機能などの項目を選択できるメニューが表示される。この際、表示部２２には、メニューの下端に「戻る、選択、進む」などの機能項目が表示されている。即ち、この機能項目は、第２機能キー２４ｆを押下すると「戻る」が実行され、選択キー２４ｄを押下すると「選択」が実行され、第１機能キー２４ｅを押下すると「進む」が実行されることを表している。従って、表示器２２に表示した一つ前のＷｅｂページに戻る場合、図４（ｂ）に示したようにメニューを呼び出した状態で第２機能キー２４ｆを押下することで、図４（ｃ）に示すように所望のＷｅｂページ（一つ前に参照したＷｅｂページ）が表示される。
【０００７】
このように従来の移動体通信端末は、携帯電話機のようなキーの少ない機器でインターネットのＷｅｂページを参照する際に、戻る、進むなどの機能を実行する場合、表示部２２に所定のメニューを表示し、このメニューのリスト項目（機能項目）に操作キー２４（第２機能キー２４ｆ、選択キー２４ｄ、第１機能キー２４ｅ等）を対応させて選択させることでユーザが容易に実行できるように形成していた。
【０００８】
【発明が解決しようとする課題】
しかしながら、従来の移動体通信端末では、図４に示した携帯電話機などの移動体電話機においてＷｅｂページを参照する際に最も頻繁に用いる機能が戻る機能であり、この戻る機能を実行する場合にメニューを呼び出すキー（第１機能キー２４ｅ）と、このメニューから戻るを指定するキー（第２機能キー２４ｆ）とが各々異なるキーであってユーザが手（指）を離（移動）しながらキー操作を行うため、操作性が悪く誤動作の原因になり大変不便であるという不具合があった。
また、従来の移動体通信端末では、前述したように指を離しながらキーを操作するため、例えば、いくつも前に参照したＷｅｂページを参照する場合、操作キー２４をユーザが何度も指を離して操作する必要があり操作が非常に困難で大変使いにくいという不具合があった。
本発明はこのような課題を解決し、単一の機能キーによって一つ前或いはいくつも前に参照したＷｅｂページに戻る機能を容易に実行できる移動体通信端末を提供することを目的とする。
【０００９】
【課題を解決するための手段】
本発明は上述の課題を解決するために、ブラウザ機能を搭載してインターネットの接続により複数のＷｅｂページを参照可能な移動体通信端末であって、ブラウザ機能を搭載した移動体通信端末の本体と、この本体の表面に配置されてインターネットに接続して複数のＷｅｂページを表示可能な表示部と、本体に配置されて表示部の近傍に複数形成したテンキー、回線キー、十字方向キー、選択キー、第１機能キー、第２機能キーなどの各所定機能を実行する操作キーとを備え、表示部にＷｅｂページを表示した状態において、操作キーの第１機能キーを押下することにより一つ前のＷｅｂページに戻る機能及び次のＷｅｂページに進む機能を選択できるメニューが表示され、該メニューの下端に表示部に表示した一つ前のＷｅｂページに戻る機能及び次のＷｅｂページに進む機能が第１機能キーと第２機能キーとの押下で各々実行されることを表した機能項目を表示するとともに、当該機能項目の表示により戻る機能がメニューを呼び出す前記第１機能キーにより実行されるように設ける。
【００１０】
ここで、第１機能キーは、メニューを呼び出した後に押下し続けることで戻る機能が繰り返して動作し、いくつも前に参照したＷｅｂページを容易に表示部に表示できるように設けることが好ましい。また、本体は、携帯電話機、ＰＨＳ電話機などの移動体電話機の本体であることが好ましい。
【００１１】
【発明の実施の形態】
次に、添付図面を参照して本発明による移動体通信端末の実施の形態を詳細に説明する。図１は、本発明による移動体通信端末の実施の形態を示す正面図である。また、図２は、図１に示した表示部１２の表示状態を示す図であり、図２（ａ）は所定のＷｅｂページを表示した状態を、図２（ｂ）はメニューを表示して機能項目を選択する状態を、図２（ｃ）は一つ前のＷｅｂページを表示した状態を各々示している。
【００１２】
図１に示すように、本発明による移動体通信端末の実施の形態は、図３に示した従来技術と同様に、携帯電話機に採用したものであり携帯電話機の外装を形成するフロントケース及びリアケースからなる本体１０と、この本体１０の表面に露出して所定の情報を表示する表示部１２と、この表示部１２の近傍に複数形成されて所定機能を実行する操作キー１４とを備えている。
ここで、本体１０内には、図示されていないが、ブラウザ機能を備えた回路部を形成するプリント基板を備え、このプリント基板に複数の電子部品を実装または接続して収納している。また、表示部１２は、本体１０内のプリント基板に実装されて外側に露出するように配置している。この表示部１２は、所定の情報を表示する液晶表示器（ＬＣＤ）からなり、例えば、インターネットに接続して種々のＷｅｂページを表示できるように形成している。
【００１３】
また、操作キー１４は、電話番号入力などの操作を行うテンキー１４ａと、回線を接続及び切断する回線キー１４ｂと、所定の機能を選択する十字方向キー１４ｃと、この十字方向キー１４ｃにより選択した機能を確定して実行する選択キー１４ｄと、所定の特殊機能（例えば、メニューを表示して選択等）を実行する第１機能キー１４ｅ及び第２機能キー１４ｆとを備えている。
このような構成からなる本発明による移動体通信端末の実施の形態を用いてインターネットに接続する場合、ユーザが携帯電話機の本体１０により携帯電話会社等が提供する通信回線を介してインターネットに接続される。そして、ユーザは、表示させたい情報のアドレス（ＵＲＬ：Ｕｎｉｆｏｒｍ  Ｒｅｓｏｕｒｃｅ  Ｌｏｃａｔｏｒ）を操作キー１４により入力して携帯電話会社に送信することで、所望のリスト（Ｗｅｂページ）を得ることができる。
【００１４】
ここで、本発明による移動体通信端末の実施の形態は、例えば、ユーザが複数のＷｅｂページを参照した後、図２（ａ）に示すように表示器１２に所定のＷｅｂページ（図２（ａ）では「サッカースペイン」）を表示した状態から一つ前に参照したＷｅｂページを表示させる場合、図４に示した従来技術とは異なり携帯電話機の本体１０に設けた第１機能キー１４ｅのみを押下するだけで戻る機能を実行できる。具体的に説明すると、表示器１２に一つ前に参照したＷｅｂページを表示させる場合、まず、図２（ａ）に示した状態から第１機能キー１４ｅを一度押下する。これにより表示部１２には、図２（ｂ）に示すように、一つ前のＷｅｂページに戻る機能、及び次のＷｅｂページに進む機能などの機能項目を選択できるメニューが表示される。
【００１５】
そして、表示部１２には、メニューの下端に「進む、選択、戻る」などの機能項目が表示される。ここで、機能項目は、図４（ｂ）に示した従来の機能項目とは異なり、「進む」と「戻る」とが逆に表示されている。即ち、この機能項目は、第１機能キー１４ｅを押下すると「戻る」が実行され、選択キー１４ｄを押下すると「選択」が実行され、第２機能キー１４ｆを押下すると「進む」が実行されることを表している。従って、表示器１２に表示した一つ前のＷｅｂページに戻る場合、図２（ｂ）に示したようにメニューを呼び出した状態で再び第１機能キー１４ｅを押下することで、図２（ｃ）に示すように所望のＷｅｂページ（一つ前に参照したＷｅｂページ）が表示される。また、第１機能キー１４ｅは、図４に示した従来技術とは異なり、図２（ｂ）に示したメニューを表示した状態でユーザが押下し続けた場合、戻る機能が繰り返して動作され、いくつも前に参照したＷｅｂページを表示部１２に容易に表示することができる。このように、本実施の形態では、戻る機能を実行する場合、ユーザが指を離して複数のキーを操作する必要がなく、単一の第１機能キー１４ｅによって容易に実行することができる。
【００１６】
以上、本発明による移動体通信端末の実施の形態を詳細に説明したが、本発明は前述した実施の形態に限定されるものではなく、その要旨を逸脱しない範囲で変更可能である。
例えば、本発明による移動体通信端末を携帯電話機に採用した実施の形態を説明したが、これに限定されるものではなく、ＰＨＳ電話機などの移動体電話機にも適用可能である。
【００１７】
【発明の効果】
このように本発明による移動体通信端末によれば、単一の機能キーを２回押下することで戻る機能が実行されるため、一つ前に参照したＷｅｂページを簡単な操作により容易に表示部に表示できるとともに、所望の情報を短時間で得ることが可能になる。
また、本発明による移動体通信端末によれば、単一の機能キーを押下し続けることで戻る機能を繰り返して実行できるため、いくつも前に参照したＷｅｂページを表示する際にユーザが指を動作させて複数回キーを操作する必要がなく、製品の操作性を向上させることができる。
【図面の簡単な説明】
【図１】本発明による移動体通信端末の実施の形態を示す正面図。
【図２】図１に示した表示部の表示状態を示す図。
【図３】従来の移動体通信端末を示す正面図。
【図４】図３に示した表示部の表示状態を示す図。
【符号の説明】
１０    本体
１２    表示部
１４    操作キー
１４ａ  テンキー
１４ｂ  回線キー
１４ｃ  十字方向キー
１４ｄ  選択キー
１４ｅ  第１機能キー
１４ｆ  第２機能キー
【図１】
0003731079.tif 000002
【図２】
0003731079.tif 000003
【図３】
0003731079.tif 000004
【図４】
0003731079.tif 000005